(57)【要約】【課題】夜間に境界線を明示することができるとともに、車両等の物体が接近する場合に物体との距離を高い精度で検知することが可能な自発光照明装置を提供する。【解決手段】自発光照明装置１００は、当該装置の周囲の照度を検知する照度センサ９と、当該装置の周囲に車両３００が存在することを検知するための検知原理が異なる人感センサ４および距離センサ８と、照度センサ９によって検知された周囲の照度が相対的に低いときに発光し、かつ、人感センサ４および距離センサ８によって検知された車両３００の存在に応じて発光する発光部２とを備える。【選択図】図１
2008257904.tif 000002
【特許請求の範囲】
【請求項１】
当該装置の周囲の照度を検知する照度検知部と、
当該装置の周囲に車両が存在することを検知するための検知原理が異なる第１と第２の車両検知部と、
前記照度検知部によって検知された周囲の照度が相対的に低いときに発光し、かつ、前記第１と第２の車両検知部によって検知された車両の存在に応じて発光する発光部とを備えた、自発光照明装置。
【請求項２】
前記第１の車両検知部は発熱体を検知し、前記第２の車両検知部は物体との距離を検知する、請求項１に記載の自発光照明装置。
【請求項３】
前記発光部は、前記照度検知部によって検知された周囲の照度が相対的に低く、かつ、前記第１と第２の車両検知部によって車両が検知されない場合に第１の色で発光し、前記照度検知部によって検知された周囲の照度が相対的に低く、かつ、前記第１と第２の車両検知部によって車両が検知された場合に前記第１の色と異なる第２の色で発光する、請求項１または請求項２に記載の自発光照明装置。
【請求項４】
前記発光部は、前記照度検知部によって検知された周囲の照度が相対的に低く、かつ、前記第１と第２の車両検知部によって車両が検知されない場合に点灯または点滅の一方の態様で発光し、前記照度検知部によって検知された周囲の照度が相対的に低く、かつ、前記第１と第２の車両検知部によって車両または人を含む動物が検知された場合に点灯または点滅の他方の態様で発光する、請求項１から請求項３までのいずれか１項に記載の自発光照明装置。
【請求項５】
当該自発光照明装置は、車両停止区画を明示するために設置される、請求項１から請求項４までのいずれか１項に記載の自発光照明装置。
【発明の詳細な説明】
【技術分野】
【０００１】
この発明は、一般的には自発光照明装置に関し、特定的には自動車等の車両の駐車区画境界に設置される自発光照明装置に関するものである。
【背景技術】
【０００２】
従来、自動車等の車両の駐車区画または停車区画を表示するための車両区画境界線の表示は、アスファルト面等にペイント塗装を施すことによって行われてきた。
【０００３】
一方、岸壁、埠頭、突堤等の海洋と陸地の境界を明示するための自発光式の標識灯が、たとえば、特開２００６−１９０８６号公報（特許文献１）で提案されている。
【０００４】
また、交差点の中央などに設置され、光を点滅し、通行人や自動車の注意を喚起する発光道路鋲装置が、たとえば、特開平７−１０９７１３号公報（特許文献２）で提案されている。この発光道路鋲装置は、発光体と、発光道路鋲装置から一定距離の範囲に車両等の動体が侵入したことを検知する検知手段としての光センサまたは測距センサと、検知手段の検知結果によって発光体の点滅状態を変更する制御手段とを備えている。
【０００５】
さらに、特開平１１−１３１４３０号公報（特許文献３）には、点滅回数や光量を変化させる自発光式道路鋲が提案されている。
【特許文献１】特開２００６−１９０８６号公報
【特許文献２】特開平７−１０９７１３号公報
【特許文献３】特開平１１−１３１４３０号公報
【発明の開示】
【発明が解決しようとする課題】
【０００６】
しかしながら、夜間においては駐車場内が暗く、十分な光量が得られないため、従来のペイント塗装による車両区画境界線の表示だけでは、自動車後方からの視認性が悪い。このため、夜間の駐車時には自動車が車止めに強く衝撃して車両に損害を与えたり、運転者や同乗者に衝撃を与えるなど、不快にさせる可能性があった。また、夜間においては駐車場内が暗く、十分な光量が得られないため、車上荒らしなどの犯罪が起こる可能性が高かった。
【０００７】
一方、特開２００６−１９０８６号公報（特許文献1）で提案された自発光式の標識灯は、太陽電池によって発光体が発光することによって陸地上の歩行者や車両運転者等に陸地の縁端を認識させることができるが、車両と車止めとの間の距離を判定するものではない。このため、歩行者や車両が車止めに近づく際に注意を促すことができない。
【０００８】
これに対して、特開平７−１０９７１３号公報（特許文献２）または特開平１１−１３１４３０号公報（特許文献３）で提案された発光道路鋲装置または自発光式道路鋲において、光センサのみによって車両の接近を検知する方法、または、距離センサを用いて、高速で移動する車両との距離を検知する方法では、車両の接近を判別することができるが、高い精度で距離を検知することは困難である。
【０００９】
そこで、この発明の目的は、夜間に境界線を明示することができるとともに、車両等の物体が接近する場合に物体との距離を高い精度で検知することが可能な自発光照明装置を提供することである。
【課題を解決するための手段】
【００１０】
この発明に従った自発光照明装置は、当該装置の周囲の照度を検知する照度検知部と、当該装置の周囲に車両が存在することを検知するための検知原理が異なる第１と第２の車両検知部と、照度検知部によって検知された周囲の照度が相対的に低いときに発光し、かつ、第１と第２の車両検知部によって検知された車両の存在に応じて発光する発光部とを備える。
【００１１】
この発明の自発光照明装置においては、周囲の照度が相対的に低いとき、すなわち、夜間に発光するとともに、検知原理が異なる二つの車両検知部によって車両を検知することによって車両の存在を検知するので、接近する車両との距離を高い精度で検知して発光することができる。これにより、夜間に境界線等を明示することができ、防犯を行うとともに、夜間において境界線等に接近していることに対して歩行者や車両運転者により正確に注意を促すことができる。
【００１２】
この発明の自発光照明装置において、第１の車両検知部は発熱体を検知し、第２の車両検知部は物体との距離を検知することが好ましい。
【００１３】
このように二つの検知部を使い分けて発熱体検知と距離検知を行うことによって、夜間において境界線等に接近する歩行者や車両運転者により正確に注意を促すことができる。
【００１４】
また、この発明の自発光照明装置において、発光部は、照度検知部によって検知された周囲の照度が相対的に低く、かつ、第１と第２の車両検知部によって車両が検知されない場合に第１の色で発光し、照度検知部によって検知された周囲の照度が相対的に低く、かつ、第１と第２の車両検知部によって車両が検知された場合に第１の色と異なる第２の色で発光することが好ましい。
【００１５】
このようにすることにより、夜間において発光するとともに、境界線等に接近していることに対して発光の色を変えることによって歩行者や車両運転者により注意を促すことができる。また、たとえば、駐車場においては、境界線等に車両が接近していない場合に第１の色で発光し、境界線等に車両が接近している場合に第１の色と異なる第２の色で発光することによって、空車時と駐車時との間で発光色を切替えることができ、夜間でも運転者が空車スペースを容易に見つけ出すことができる。
【００１６】
さらに、この発明の自発光照明装置において、発光部は、照度検知部によって検知された周囲の照度が相対的に低く、かつ、第１と第２の車両検知部によって車両が検知されない場合に点灯または点滅の一方の態様で発光し、照度検知部によって検知された周囲の照度が相対的に低く、かつ、第１と第２の車両検知部によって車両または人を含む動物が検知された場合に点灯または点滅の他方の態様で発光することが好ましい。
【００１７】
このようにすることにより、夜間において発光するとともに、境界線等に接近していることに対して点灯または点滅の態様を変えることによって歩行者や車両運転者により注意を促すことができる。
【００１８】
なお、この発明の自発光照明装置は、車両停止区画を明示するために設置されることが好ましい。
【００１９】
この発明の自発光照明装置は、たとえば、駐車場の車両停止区画を明示するために設置することによって、夜間において駐車と空車の判定を行うことができるとともに、駐車時や発進時に車両等の存在を検知して発光することによって歩行者や車両運転者に注意を促すことができる。
【発明の効果】
【００２０】
以上のようにこの発明によれば、周囲の照度が相対的に低いとき、すなわち、夜間に発光するとともに、検知原理が異なる二つの車両検知部によって車両を検知することによって車両の存在を検知するので、接近する車両との距離を高い精度で検知して発光することができる。これにより、夜間に境界線等を明示することができ、防犯を行うとともに、夜間において境界線等に接近していることに対して歩行者や車両運転者により正確に注意を促すことができる。
【発明を実施するための最良の形態】
【００２１】
以下、この発明の一つの実施の形態を図面に基づいて説明する。
【００２２】
図１は、この発明の一つの実施の形態の自発光照明装置が設置された例を示す平面図である。図２は、この発明の一つの実施の形態の自発光照明装置を示す平面図である。図３は、図２のＩＩＩ−ＩＩＩ線における概略的な断面を示す断面図である。図４は、この発明の一つの実施の形態の自発光照明装置の制御関連の構成を示すブロック図である。
【００２３】
図１に示すように、この発明の自発光照明装置１００は、自動車等の車両３００を駐車するための境界線上に沿って設置されている。車両３００を止めるための車止めブロック２００が自発光照明装置１００の近傍に設置されている。
【００２４】
図１〜図３に示すように、自発光照明装置１００は、外装材としての衝突緩和材１と、衝突緩和材１に囲まれた複数の発光部２、複数の太陽電池パネル３、第１の車両検知部としての人感センサ４、制御部５、蓄電池６、第２の車両検知部としての距離センサ８、および、自発光照明装置１００の周囲の照度を検知する照度センサ９とを備えている。人感センサ４と距離センサ８とは検知原理が異なる。自発光照明装置１００の天面部は、アクリル樹脂等からなる透明部材７で被覆されている。図３に示すように、複数の発光部２、複数の太陽電池パネル３、人感センサ４、蓄電池６、距離センサ８および照度センサ９は、制御部５、たとえば制御基板に接続されている。
【００２５】
図１と図２に示すように、境界線上に沿って配置された衝突緩和材１によって囲まれた領域には、長手方向に複数の発光部２、この実施の形態では４つの発光部２が間隔をあけて配置されている。発光部２は、発光ダイオード（ＬＥＤ）、白熱電球、蛍光灯などから構成される。複数の発光部２の間には、複数の太陽電池パネル３が配置されている。日中に太陽電池パネル３に生じた電力は蓄電池６に充電される。蓄電池６は、鉛蓄電池、ニッケル水素電池、リチウムイオン電池、ニッケルカドミウム電池などから構成される。
【００２６】
衝突緩和材１によって囲まれた領域内で車止めブロック２００の近傍には、人感センサ４が配置されている。人感センサ４は、発熱体を検知することができ、自発光照明装置１００の周囲、特に車止めブロック２００の付近に存在する車両または人を含む動物を検知するものであり、たとえば、赤外線センサ等の焦電型の人感センサである。距離センサ８は、接近する自動車等の車両３００と車止めブロック２００との間の距離を検知することができる公知のものである。
【００２７】
図４に示すように、自発光照明装置１００の周囲の照度が相対的に低いことを照度センサ９が検知すると、その検知信号に応じて制御部５は制御信号を発光部２に送信し、発光部２は第１の態様で、たとえば、第１の色で、あるいは、点灯の態様で発光する。すなわち、夜間において車両等が検知されない場合には、蓄電池６から電力が発光部２に供給され、発光部２は第１の態様で、たとえば、第１の色で、または点灯の態様で発光する。
【００２８】
このとき、夜間に車両３００が車止めブロック２００に近づくと、人感センサ４と距離センサ８とによって車両３００が検知される。図４に示すように、人感センサ４と距離センサ８とが車両３００を検知すると、その検知信号に応じて制御部５は制御信号を発光部２に送信し、発光部２は、第２の態様で、たとえば、第１の色と異なる第２の色で、あるいは、点滅の態様で発光する。
【００２９】
この場合、車両３００が車止めブロック２００に近づくと、人感センサ４によって車両３００の存在が検知され、距離センサ８によって車両３００と車止めブロック２００との間の距離が検知される。そして、発光部２は、第２の態様で、たとえば、第１の色と異なる第２の色で、あるいは、点滅の態様で発光する。これにより、車両３００が車止めブロック２００に近づく際に発光部２が、第２の色で、あるいは、点滅の態様で発光して、車両運転者に車両の停止位置を明示するとともに、周囲にいる歩行者等に注意を促すことができる。
【００３０】
また、この場合、人感センサ４が駆動して車両３００を検知した後に、距離センサ８が駆動して車両３００と車止めブロック２００との間の距離を検知するように構成することが好ましい。このようにすることによって、駐車領域内に車両３００が存在することを検知した後、さらに車両３００と車止めブロック２００との間の距離を検知することによって、車両運転者に車両の停止位置をより正確に明示するとともに、周囲にいる歩行者等に対して車両の接近をより正確に注意を促すことができる。
【００３１】
さらに、夜間に車両３００が車止めブロック２００から離れようとすると、人感センサ４と距離センサ８とによって車両３００が検知される。図４に示すように、人感センサ４と距離センサ８とが車両３００を検知すると、その検知信号に応じて制御部５は制御信号を発光部２に送信し、発光部２は、第１の態様で、たとえば、第２の色と異なる第１の色で、あるいは、点灯の態様で発光する。このようにすることにより、車両３００が車止めブロック２００に近づいて駐車している場合と、車両３００が車止めブロック２００から離れて空車になっている場合とにおいて、発光部２の発光の色、あるいは、点灯または点滅の態様を変えることができるので、夜間において、車両３００が停止または発進する際に車両運転者や歩行者に注意を促すとともに、当該区画の駐車時と空車時とを明示することができる。また、人感センサ４と距離センサ８とを用いることによって、低速で停止または発進する車両３００との距離をより正確に検知することができる。
【００３２】
以上のように、この発明の自発光照明装置１００においては、周囲の照度が相対的に低いとき、すなわち、夜間に発光するとともに、検知原理が異なる二つの車両検知部としての人感センサ４と距離センサ８とによって車両３００を検知することによって車両３００の存在を検知するので、接近する車両３００との距離を高い精度で検知して発光することができる。これにより、夜間に境界線等を明示することができ、防犯を行うとともに、夜間において駐車区画の境界線等に接近していることに対して歩行者や車両運転者により正確に注意を促すことができる。
【００３３】
この発明の自発光照明装置１００において、第１の車両検知部としての人感センサ４は発熱体を検知し、第２の車両検知部としての距離センサ８は物体との距離を検知するようにして、二つの検知部を使い分けて発熱体検知と距離検知を行うことによって、夜間において駐車区画の境界線等に接近する歩行者や車両運転者により正確に注意を促すことができる。また、待機時の消費電力が相対的に小さい人感センサ４を用いることによって、自発光照明装置１００全体の消費電力を削減することができる。
【００３４】
また、この発明の自発光照明装置１００において、発光部２は、照度センサ９によって検知された周囲の照度が相対的に低く、かつ、人感センサ４と距離センサ８によって車両が検知されない場合に第１の色で発光し、照度センサ９によって検知された周囲の照度が相対的に低く、かつ、人感センサ４と距離センサ８によって車両３００が検知された場合に第１の色と異なる第２の色で発光することにより、夜間において発光するとともに、駐車区画の境界線等に接近していることに対して発光の色を変えることによって歩行者や車両運転者により注意を促すことができる。また、駐車区画の境界線に車両３００が接近していない場合に第１の色で発光し、境界線に車両３００が接近している場合に第１の色と異なる第２の色で発光することによって、空車時と駐車時との間で発光色を切替えることができ、夜間でも運転者が空車スペースを容易に見つけ出すことができる。
【００３５】
さらに、この発明の自発光照明装置１００において、発光部２は、照度センサ９によって検知された周囲の照度が相対的に低く、かつ、人感センサ４と距離センサ８によって車両３００が検知されない場合に点灯または点滅の一方の態様で発光し、照度センサ９によって検知された周囲の照度が相対的に低く、かつ、人感センサ４と距離センサ８によって車両または人を含む動物が検知された場合に点灯または点滅の他方の態様で発光することにより、夜間において発光するとともに、境界線に接近していることに対して点灯または点滅の態様を変えることによって歩行者や車両運転者により注意を促すことができる。
【００３６】
なお、この発明の自発光照明装置１００は、駐車場の車両停止区画を明示するために設置することによって、夜間において駐車と空車の判定を行うことができるとともに、駐車時や発進時に車両等の存在を検知して発光することによって歩行者や車両運転者に注意を促すことができる。
【００３７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３８】
【図１】この発明の一つの実施の形態の自発光照明装置が設置された例を示す平面図である。
【図２】この発明の一つの実施の形態の自発光照明装置を示す平面図である。
【図３】図２のＩＩＩ−ＩＩＩ線における概略的な断面を示す断面図である。
【図４】この発明の一つの実施の形態の自発光照明装置の制御関連の構成を示すブロック図である。
【符号の説明】
【００３９】
１００：自発光照明装置、２：発光部、４：人感センサ、８：距離センサ、９：照度センサ。
【図１】
2008257904.tif 000003
【図２】
2008257904.tif 000004
【図３】
2008257904.tif 000005
【図４】
2008257904.tif 000006